(57)【要約】【課題】回転体が回転するときに一部の電解促進錠剤を上方に移動させ、固着した電解促進錠剤が外すことを目的とする。【解決手段】ケース２１の底面における周縁部には、孔２６を設け、回転体２３は、上方に凸形状の曲面形状であり、周縁部には平面部分を有し、平面部分３４には、孔２６と対向する切欠き３０を有し、回転体２３の上面に多数の電解促進錠剤２０を置きモータ部２４によって回転体２３を回転させると、平面部分３４に載った多数の電解促進錠剤２０の１つが切欠き３０に入り、孔２６と切欠き３０とが対向したときに電解促進錠剤２０が、孔２６と切欠き３０とを介して落下し、落下する電解促進錠剤２０の上方の電解促進錠剤２０が同時に落下しないように防止する錠剤侵入防止部材３３を備え、錠剤侵入防止部材３３は弾性体である。【選択図】図６
2018161628.tif 000002
【特許請求の範囲】
【請求項１】
椀形状のケースと、
前記ケースの開口を覆うケースカバーと、
前記ケース内に設けたモータ部と、
前記モータ部によって水平方向に回転する回転体とを備え、
前記ケースの底面における周縁部には、孔を設け、
前記回転体は、上方に凸形状の曲面形状であり、周縁部には平面部分を有し、
前記平面部分には、前記孔と対向する切欠きを有し、
前記回転体の上面に多数の電解促進錠剤を置き前記モータ部によって前記回転体を回転させると、前記平面部分に載った多数の前記電解促進錠剤の１つが前記切欠きに入り、前記孔と前記切欠きとが対向したときに前記電解促進錠剤が、前記孔と前記切欠きとを介して落下し、
落下する前記電解促進錠剤の上方の前記電解促進錠剤が同時に落下しないように防止する錠剤侵入防止部材を備え、
前記錠剤侵入防止部材は弾性体であることを特徴とする電解促進錠剤投入装置。
【請求項２】
前記電解促進錠剤は円盤形状であり、
前記平面部分の幅は、前記電解促進錠剤の厚みより僅かに大きく、
前記ケースにおける前記孔の上方の側面に水平方向に開口した開口部を有し、
前記開口部から前記平面部分の上方へ突出した錠剤侵入防止部材を備え、
前記錠剤侵入防止部材は、ゴム製の複数の突起を有し、
前記突起は、円柱形状であり、
前記開口部に前記突起が水平方向に複数並び、
隣り合う前記突起と前記突起との距離は、前記電解促進錠剤の直径より小さく、
前記突起と前記平面部分の上面との距離は、前記電解促進錠剤の半径より小さいことを特徴とする請求項１に記載の電解促進錠剤投入装置。
【請求項３】
前記錠剤侵入防止部材は、
前記開口部を覆い、前記突起を連結する連結板を有したことを特徴とする請求項１に記載の電解促進錠剤投入装置。
【発明の詳細な説明】
【技術分野】
【０００１】
本発明は、電解促進錠剤を投入する電解促進錠剤投入装置に関する。
【背景技術】
【０００２】
従来、この種の電解促進錠剤投入装置では、カートリッジ部に電解促進錠剤を備えたものが知られている（例えば、特許文献１参照）。
【０００３】
以下、その電解促進錠剤投入装置について図１２を参照しながら説明する。
【０００４】
図１２に示すように、水槽１０２に電解促進錠剤１０３を投入する投入機構部１０４を有していた。投入機構部１０４は、電解促進錠剤１０３を内包したケース部１０５と、可動案内部材部１０６と、可動部材１０７とを備えている。ケース部１０５から電解促進錠剤１０３が、可動案内部材部１０６の空洞部１０８に供給され、この空洞部１０８に供給された電解促進錠剤１０３は、空洞部１０８を摺動する可動部材１０７によって、水槽１０２へ押し出される。
【先行技術文献】
【特許文献】
【０００５】
【特許文献１】特開２０１３−５２３５５号公報
【発明の概要】
【発明が解決しようとする課題】
【０００６】
このような従来の電解促進錠剤投入装置においては、ケース部内における下端の電解促進錠剤と、この電解促進錠剤の一つ上の電解促進錠剤とが、可動案内部材部の空洞部へ傾いた状態で落下する場合がある。この状態で、可動部材で押し出すと、これらの電解促進錠剤が、ケース部内面と、可動部材との間に挟まれ、水槽へ押し出されない場合がある。
【０００７】
そこで本発明は、上記従来の課題を解決するものであり、電解促進錠剤投入装置から電解促進錠剤をスムーズに落下できる電解促進錠剤投入装置を提供することを目的とする。
【課題を解決するための手段】
【０００８】
そして、この目的を達成するために、本発明は、椀形状のケースと、前記ケースの開口を覆うケースカバーと、前記ケース内に設けたモータ部と、前記モータ部によって水平方向に回転する回転体とを備え、前記ケースの底面における周縁部には、孔を設け、前記回転体は、上方に凸形状の曲面形状であり、周縁部には溝を有し、前記溝には、前記孔と対向する切欠きを有し、前記回転体の上面に多数の電解促進錠剤を置き前記モータ部によって前記回転体を回転させると、前記溝に入った多数の前記電解促進錠剤の１つが前記切欠きに入り、前記孔と前記切欠きとが対向したときに前記電解促進錠剤が、前記孔と前記切欠きとを介して落下し、落下する前記電解促進錠剤の上方の前記電解促進錠剤が同時に落下しないように防止する錠剤侵入防止部材を備え、前記錠剤侵入防止部材は弾性体であることを特徴としたものであり、これにより所期の目的を達成するものである。
【発明の効果】
【０００９】
本発明によれば、椀形状のケースと、前記ケースの開口を覆うケースカバーと、前記ケース内に設けたモータ部と、前記モータ部によって水平方向に回転する回転体とを備え、前記ケースの底面における周縁部には、孔を設け、前記回転体は、上方に凸形状の曲面形状であり、周縁部には溝を有し、前記溝には、前記孔と対向する切欠きを有し、前記回転体の上面に多数の電解促進錠剤を置き前記モータ部によって前記回転体を回転させると、前記溝に入った多数の前記電解促進錠剤の１つが前記切欠きに入り、前記孔と前記切欠きとが対向したときに前記電解促進錠剤が、前記孔と前記切欠きとを介して落下し、落下する前記電解促進錠剤の上方の前記電解促進錠剤が同時に落下しないように防止する錠剤侵入防止部材を備え、前記錠剤侵入防止部材は弾性体であるので、電解促進錠剤投入装置から電解促進錠剤をスムーズに落下できる。
【図面の簡単な説明】
【００１０】
【図１】本発明の実施の形態１の電解促進錠剤投入装置を備えた空気浄化装置を示す斜視図
【図２】同電解促進錠剤投入装置を備えた空気浄化装置を示す斜視図
【図３】同電解促進錠剤投入装置を備えた空気浄化装置を示す展開図
【図４】同電解促進錠剤投入装置を備えた空気浄化装置を示す展開図
【図５】同電解促進錠剤投入装置の斜視図
【図６】同電解促進錠剤投入装置の分解斜視図
【図７】同電解促進錠剤投入装置のケース内を示す斜視図
【図８】同電解促進錠剤投入装置のケースの底面を示す斜視図
【図９】同電解促進錠剤投入装置のケースの孔と回転体の切欠きの拡大斜視図
【図１０】同電解促進錠剤投入装置のケースの孔と回転体の切欠きの拡大斜視図
【図１１】同電解促進錠剤投入装置のケースと錠剤侵入防止部材とを示す分解斜視図
【図１２】従来の電解促進錠剤投入装置を示す斜視図
【発明を実施するための形態】
【００１１】
以下、本発明の実施の形態について図面を参照しながら説明する。
【００１２】
（実施の形態１）
図１は、本発明の実施の形態１の電解促進錠剤投入装置を備えた空気浄化装置の斜視図であり、空気浄化装置を前面側から見た図である。図２は、本発明の実施の形態１の電解促進錠剤投入装置を備えた空気浄化装置の斜視図であり、パネルを開いて空気浄化装置を前面側から見た図である。
【００１３】
図１、２に示すように、本実施形態の空気浄化装置においては、略箱形状の本体ケース１を備え、本体ケース１の両側面には略四角形状の吸気口２を有している。本体ケース１の前面側から見て、右側の側面（本体ケース１の一方側の側面）である第１の本体側面１Ａには、開閉可能なパネル３を備えている。パネル３を開くと、縦長四角形状の開口４が現れる。開口４から後述する本体ケース１内の空気浄化部５を取り出すことが出来る。本体ケース１の一方側の側面の吸気口２は、パネル３に設けられている。本体ケース１の天面には、開閉式の吹出口６を備えている。図１、２では、吹出口６は、閉じた状態である。
【００１４】
図３は、本発明の実施の形態１の電解促進錠剤投入装置を備えた空気浄化装置の断面図であり、空気浄化装置を右側から見た図である。図４は、本発明の実施の形態１の電解促進錠剤投入装置を備えた空気浄化装置の断面図であり、空気浄化装置における右側から見た図である。
【００１５】
図２、図３、図４に示すように、本体ケース１内には、送風機７と、空気浄化部５と、風路８と、を備えている。
【００１６】
送風機７は、本体ケース１の中央部に設けられ、モータ部９と、モータ部９により回転するファン部１０と、それらを囲むスクロール形状のケーシング部１１とを備えている。モータ部９は、ケーシング部１１に固定されている。
【００１７】
ファン部１０は、シロッコファンで、モータ部９から水平方向に延びた回転軸９ａに固定され、モータ部９は、ケーシング部１１に固定されている。モータ部９の回転軸９ａは、本体ケース１の前面側から背面側に延びている。ケーシング部１１は、ケーシング部１１の本体ケース１における上面側に吐出口１２を備え、ケーシング部１１の本体ケース１における背面側に吸込口１３を有している。
【００１８】
空気浄化部５は、貯水容器１４と、タンク部材１５と、フィルター部分１６と、電解ユニット１７と、電解促進錠剤投入装置１８とを備えている。
【００１９】
貯水容器１４は、天面を開口した箱形状をしており、水を貯水できる構造となっており、本体ケース１の下部に配置され、本体ケース１から水平方向にスライドして着脱可能となっている。貯水容器１４は、タンク部材１５から供給される水を貯水する。
【００２０】
タンク部材１５は、本体ケース１内部の一方側の側面に設置され貯水容器１４から着脱可能な構造となっている。タンク部材１５は、貯水容器１４の底面に設けられたタンク保持部１４ａに装着されている。タンク部材１５は、水を貯水するタンク１５ａと、タンクの開口（図示せず）に設けられた蓋１５ｂとを備えている。蓋１５ｂの中央には、開閉手段（図示せず）が設けられており、この開閉手段が開くと、タンク１５ａ内の水が、貯水容器１４へ供給される。具体的には、タンク１５ａの開口を下向きにして、タンク部材１５を貯水容器１４のタンク保持部１４ａに取り付けると、タンク保持部１４ａによって開閉手段が開く。つまり、タンク部材１５に水を入れてタンク保持部１４ａに取り付けると、開閉手段が開いて貯水容器１４に給水され、貯水容器１４内に水が溜まる。貯水容器１４内の水位が上昇して蓋のところまで到達するとタンク部材１５の開口が水封されるので給水が停止し、タンク部材１５の内部には水が残り、貯水容器１４内の水位が下がった場合に都度、タンク１５ａ内部の水が貯水容器１４に給水される。即ち、貯水容器１４内の水位は一定に保たれる。
【００２１】
フィルター部分１６は、貯水容器１４に貯水された水と、送風機７によって本体ケース１内に吸込まれた室内空気とを接触させる部材である。円筒状に構成され、円周部分に空気が流通可能な孔を備えたフィルター１６ａを配置し、その一端が貯水容器１４の水に浸漬するように、フィルター１６ａの中心軸を回転中心として貯水容器１４に回転自在に内蔵されている。そして、駆動部（図示しない）による回転され、水と室内空気を連続的に接触させる構造となっている。
【００２２】
電解ユニット１７、水槽水に第１の電極、第２の電極（図示せず）を浸らせ、これら第１の電極と第２の電極とに電圧を印加し、電解促進錠剤投入装置１８によって投入される電解促進錠剤２０が入った貯水容器１４内の水を電気化学的に処理するものである。
【００２３】
風路８は、吸気口２と吹出口６とを連通し、この風路８には、吸気口２から順に、空気浄化部５（貯水容器１４、フィルター部分１６）、送風機７、吹出口６を備えている。モータ部９によってファン部１０が回転すると、吸気口２から風路８内に入った外部の空気は、順に、フィルター１６ａ、送風機７、吹出口６を介して、吹き出される。
【００２４】
図５は、本発明の実施の形態１の電解促進錠剤投入装置の斜視図である。図６は、本発明の実施の形態１の電解促進錠剤投入装置の分解斜視図であり、ケースの内部が見えるようにケースの一部を切り欠いた図である。図７は、本発明の実施の形態１の電解促進錠剤投入装置のケース内を示す斜視図であり、回転体を外した状態である。図８は、本発明の実施の形態１の電解促進錠剤投入装置のケースの底面を示す斜視図であり、電解促進錠剤投入装置における下方から見た斜視図である。
【００２５】
図５と図６と図７と図８に示すように、電解促進錠剤投入装置１８は、ケース２１と、ケースカバー２２と、回転体２３と、モータ部２４と、を有している。
【００２６】
ケース２１は、上方が開口した円形の深皿形状であり、上端部には、下方が開口した椀形状のケースカバー２２が着脱可能である。ケース２１内には、回転体２３を備え、ケースの下方には、モータ部２４を備えている。モータ部２４は、鉛直方向を回転軸方向として、ケース２１内で回転体２３を回転させる。ケース２１の底面には、軸受孔２５と、孔２６とを有している。軸受孔２５は、後述する回転体２３の回転軸２９が入る孔であり、孔２６は、電解促進錠剤２０が通過する孔である。孔２６には、孔２６の開口縁から下方に延びたガイド筒２７を設けている。
【００２７】
回転体２３は、中央部が上方に凸形状の円板である凸面部２８と、凸面部２８の中央下面から下方に延びた円筒形状の回転軸２９とを有している。凸面部２８と回転軸２９とは、樹脂材料によって一体に形成されている。凸面部２８の大きさは、ケース２１より一回り小さい大きさであり、凸面部２８の外周とケース２１の内面との間には僅かに隙間を有している。凸面部２８の周縁部には、平面部分３４を有し、平面部分３４には、孔２６と対向する切欠き３０を有している。切欠き３０は、孔２６と対向し、電解促進錠剤２０が通過する。回転軸２９は、ケース２１の底面の軸受孔２５を介して、ケース２１の下方に突出している。
【００２８】
モータ部２４は、モータ部２４の上面から上方に延びた円柱形状のモータ回転軸３１を有している。モータ回転軸３１の表面は、ギザ状にローレット加工されている。回転体２３の回転軸２９の内面も、モータ回転軸３１が嵌るようにギザ状に加工されている。回転体２３の回転軸２９にモータ回転軸３１を嵌め、モータ回転軸３１を回転させると、回転体２３も回転する。モータ部２４は、ケース２１の底面から下方に延びた筒形状のモータカバー３２によって覆われている。
【００２９】
図９は、本発明の実施の形態１の電解促進錠剤投入装置のケースの孔と回転体の切欠きの拡大斜視図であり、電解促進錠剤が回転体の切欠きに入った図である。図１０は、本発明の実施の形態１の電解促進錠剤投入装置のケースの孔と回転体の切欠きの拡大斜視図であり、電解促進錠剤が回転体の切欠きとケースの孔とを介して落ちる図である。
【００３０】
以上の構成において、電解促進錠剤投入装置における電解促進錠剤２０の投入動作を図９と図１０を用いて説明する。ケース２１からケースカバー２２を外し、ケース２１内に電解促進錠剤２０を入れると、回転体２３における凸面部２８の上面に、電解促進錠剤２０が配置される。凸面部２８は、中央部が上方に凸形状の曲面形状の円板であるので、多数の電解促進錠剤２０は、凸面部２８の上面に沿って積み重なった状態となる。電解促進錠剤２０を投入する場合には、モータ部２４によって回転体２３を時計回り（矢印の方向）に回転させる。これにより、電解促進錠剤２０が一つ、切欠き３０に入り込む。（図９参照）更に回転体２３を回転させると、切欠き３０に入り込んだ電解促進錠剤２０は、切欠き３０と孔２６とが対向したときに、切欠き３０と、孔２６と、ガイド筒２７とを介して、貯水容器１４に落下する。（図１０参照）
図１１は、本発明の実施の形態１の電解促進錠剤投入装置のケースと錠剤侵入防止部材とを示す分解斜視図である。
【００３１】
図７と図９と図１０と図１１とに示すように、本実施形態における特徴は、回転体２３の上面に多数の電解促進錠剤２０を置き、モータ部２４によって回転体２３を回転させると、平面部分３４に載った多数の電解促進錠剤２０の１つが切欠き３０に入り、孔２６と切欠き３０とが対向したときに、切欠き３０に入っている電解促進錠剤２０が、孔２６と切欠き３０とを介して落下する。この落下する電解促進錠剤２０の上方の電解促進錠剤２０が同時に落下しないように防止する錠剤侵入防止部材３３を備え、この錠剤侵入防止部材３３は弾性体であることである。弾性体の一例が、ゴムである。
【００３２】
これにより、電解促進錠剤２０を１個ずつ落下させることができるので、正確な個数を落下させることができる。更に、電解促進錠剤２０が、錠剤侵入防止部材３３と、ケース２１および回転体２３との間に挟まる場合に、錠剤侵入防止部材３３は弾性体であるので、錠剤侵入防止部材３３が変形する。この変形した錠剤侵入防止部材３３が元の形状に戻るときに、電解促進錠剤２０は、錠剤侵入防止部材３３と、ケース２１および回転体２３との間から外れるので、電解促進錠剤２０が、錠剤侵入防止部材３３と、ケース２１および回転体２３との間に挟まることを抑制できる。
【００３３】
具体的には、図５と図９と図１０と図１１とに示すように、電解促進錠剤２０は円盤形状であり、回転体２３の平面部分３４の幅は、電解促進錠剤２０の厚みより僅かに大きく、ケース２１における孔２６の上方の側面に水平方向に開口した開口部３５を有し、開口部３５から平面部分３４の上方へ突出した錠剤侵入防止部材３３を備えている。
【００３４】
錠剤侵入防止部材３３は、ゴム製の複数の突起３６を有し、突起３６は、円柱形状であり、開口部３５に突起３６が水平方向に複数並び、隣り合う突起３６と突起３６との距離は、電解促進錠剤２０の直径より小さい。突起３６と平面部分３４の上面との距離は、電解促進錠剤２０の半径より小さい。突起３６の直径は、隣り合う突起３６と突起３６との距離より小さい。
【００３５】
これにより、隣り合う突起３６と突起３６との間から電解促進錠剤２０が落下することを抑制できる。
【００３６】
錠剤侵入防止部材３３は、開口部３５を覆い、突起３６を連結するゴム製である横長板形状の連結板３７を有している。連結板３７の中央部には、複数の突起３６が、連結板３７における長手方向に等間隔で配置されている。連結板３７は、開口部３５より一回り大きい横長四角形の板形状であり、長辺方向における両端に２つの孔３８を有している。ケース２１には、これらの孔３８に対向するようにケース２１の開口部の外方に、２つのねじ穴３９を有している。連結板３７は、連結板３７の孔３８を介してねじ穴３９にねじ止めされるねじ４０よって、ケース２１に固定されている。連結板３７をケース２１外面側に開口部３５を覆うようにねじ４０によって固定すると、複数の突起が、開口部３５からケース２１内へ突出する。
【００３７】
ケース２１外の空気が、最初に湿度の高い状態で、開口部３５からケース２１内に入り、その後に、湿度の低い状態で、開口部３５からケース２１内に入ると、電解促進錠剤２０が潮解した後に再び固まり、電解促進錠剤２０と電解促進錠剤２０を内包するケース２１とが固着したり、隣り合った電解促進錠剤２０が固着した状態となる場合がある。そこで、開口部３５を覆う連結板３７がゴム製であるので、開口部３５と連結板３７との隙間が小さくなり、開口部３５からケース２１内にケース２１外の空気が入ることを抑制できる。
【産業上の利用可能性】
【００３８】
本発明にかかる電解促進錠剤投入装置は、家庭用や事務所用などに使用される空気浄化装置等に有用である。
【符号の説明】
【００３９】
１    本体ケース
２    吸気口
１Ａ    第１の本体側面
３    パネル
４    開口
５    空気浄化部
６    吹出口
７    送風機
８    風路
９    モータ部
９ａ    回転軸
１０    ファン部
１１    ケーシング部
１２    吐出口
１３    吸込口
１４    貯水容器
１４ａ    タンク保持部
１５    タンク部材
１５ａ    タンク
１５ｂ    蓋
１６    フィルター部分
１６ａ    フィルター
１７    電解ユニット
１８    電解促進錠剤投入装置
２０    電解促進錠剤
２１    ケース
２２    ケースカバー
２３    回転体
２４    モータ部
２５    軸受孔
２６    孔
２７    ガイド筒
２８    凸面部
２９    回転軸
３０    切欠き
３１    モータ回転軸
３２    モータカバー
３３    錠剤侵入防止部材
３４    平面部分
３５    開口部
３６    突起
３７    連結板
３８    孔
３９    ねじ穴
４０    ねじ
【図１】
2018161628.tif 000003
【図２】
2018161628.tif 000004
【図３】
2018161628.tif 000005
【図４】
2018161628.tif 000006
【図５】
2018161628.tif 000007
【図６】
2018161628.tif 000008
【図７】
2018161628.tif 000009
【図８】
2018161628.tif 000010
【図９】
2018161628.tif 000011
【図１０】
2018161628.tif 000012
【図１１】
2018161628.tif 000013
【図１２】
2018161628.tif 000014